【手続補正書】
【提出日】平成16年6月3日(2004.6.3)
【手続補正１】
【補正対象書類名】明細書
【補正対象項目名】特許請求の範囲
【補正方法】変更
【補正の内容】
【特許請求の範囲】
【請求項１】
身体の１つの部位を載置する載置台と、
前記身体の１つの部位に接触するように前記載置台に配置された１対の測定電流印加電極と、
前記１対の測定電流印加電極間に位置して前記身体の１つの部位に接触するように前記載置台に配置された１対の電圧測定電極と、
前記身体の１つの部位を前記１対の測定電流印加電極および前記１対の電圧測定電極に押し付ける押さえ部材と、
前記１対の測定電流印加電極に交流電流を供給する交流電流供給手段と、
前記１対の電圧測定電極間の電圧を測定する電圧測定手段と、
供給された前記交流電流と測定された前記電圧とに基づいて生体電気インピーダンスを演算する演算手段とを備えることを特徴とする生体電気インピーダンス測定装置。
【請求項２】
請求項１に記載の生体電気インピーダンス測定装置において、前記載置台は、前記１対の測定電流印加電極および前記１対の電圧測定電極の並びに沿って延びる湾曲した溝状にされ、前記１対の測定電流印加電極および前記１対の電圧測定電極の各々は、前記載置台に沿って湾曲している生体電気インピーダンス測定装置。
【請求項３】
請求項１もしくは請求項２に記載の生体電気インピーダンス測定装置において、前記押さえ部材は、前記載置台に覆い被さるように一端において前記載置台に回動自在に枢設されている生体電気インピーダンス測定装置。
【請求項４】
請求項３に記載の生体電気インピーダンス測定装置において、前記押さえ部材の前記載置台に対向する面には、他の１対の測定電流印加電極および他の１対の電圧測定電極が、前記載置台に配置された前記１対の測定電流印加電極および前記１対の電圧測定電極と対応して同一の順番および同一の間隔で並んで前記身体の１つの部位に接触するように配置され、
前記交流電流供給手段は、前記載置台に配置された前記１対の測定電流印加電極および前記押さえ部材に配置された前記１対の測定電流印加電極を実質的に１対の測定電流印加電極として、前記載置台に配置された前記１対の測定電流印加電極および前記押さえ部材に配置された前記１対の測定電流印加電極に同時に同一の交流電流を供給し、
前記電圧測定手段は、前記載置台に配置された前記１対の電圧測定電極および前記押さえ部材に配置された前記１対の電圧測定電極を実質的に１対の電圧測定電極として、前記載置台に配置された前記１対の電圧測定電極および前記押さえ部材に配置された前記１対の電圧測定電極間の電圧を測定する生体電気インピーダンス測定装置。
【請求項５】
請求項３に記載の生体電気インピーダンス測定装置において、前記押さえ部材の前記載置台に対向する面は、前記１対の測定電流印加電極および前記１対の電圧測定電極の並びに対向して延びる湾曲した溝状にされている記載の生体電気インピーダンス測定装置。
【請求項６】
請求項４に記載の生体電気インピーダンス測定装置において、前記押さえ部材の前記載置台に対向する面は、前記載置台に配置された前記１対の測定電流印加電極および前記１対の電圧測定電極の並びに対向して延びる湾曲した溝状にされ、前記押さえ部材に配置された前記１対の測定電流印加電極および前記１対の電圧測定電極の各々は、前記押さえ部材の前記載置台に対向する面に沿って湾曲している生体電気インピーダンス測定装置。
【請求項７】
身体の１つの部位を載置する載置台と、
前記載置台に覆い被さるように一端において前記載置台上に回動自在に枢設され、前記載置台に対向する面に、前記身体の１つの部位に接触するように１対の測定電流印加電極と１対の電圧測定電極とを備え、前記１対の電圧測定電極は前記１対の測定電流印加電極間に位置し、前記１対の測定電流印加電極および前記１対の電圧測定電極を前記身体の１つの部位に押し付ける押さえ部材と、
前記１対の測定電流印加電極に交流電流を供給する交流電流供給手段と、
前記１対の電圧測定電極間の電圧を測定する電圧測定手段と、
供給された前記交流電流と測定された前記電圧とに基づいて生体電気インピーダンスを演算する演算手段とを備えることを特徴とする生体電気インピーダンス測定装置。
【請求項８】
請求項７に記載の生体電気インピーダンス測定装置において、前記載置台は、前記１対の測定電流印加電極および前記１対の電圧測定電極の並びに沿って延びる湾曲した溝状にされている生体電気インピーダンス測定装置。
【請求項９】
請求項７もしくは請求項８に記載の生体電気インピーダンス測定装置において、前記押さえ部材の前記載置台に対向する面は、前記１対の測定電流印加電極および前記１対の電圧測定電極の並びに沿って延びる湾曲した溝状にされ、前記１対の測定電流印加電極および前記１対の電圧測定電極の各々は、前記押さえ部材の前記載置台に対向する面に沿って湾曲している生体電気インピーダンス測定装置。
【請求項１０】
請求項１から請求項９のいずれか１項に記載の生体電気インピーダンス測定装置において、前記押さえ部材は、前記載置台上に高い摩擦係数で枢着される生体電気インピーダンス測定装置。
【請求項１１】
請求項１から請求項９のいずれか１項に記載の生体電気インピーダンス測定装置において、前記押さえ部材は、前記載置台に枢着されている端部に対抗する端部と前記載置台の端部とを、身体の大きさによって位置調整可能なラッチ部材等で解除自在に固定する生体電気インピーダンス測定装置。
【請求項１２】
請求項１から請求項９のいずれか１項に記載の生体電気インピーダンス測定装置において、前記押さえ部材は、ゴムバンドのような弾性を有する部材から形成し、その一端を前記載置台に完全に固定し、対抗する他端をラッチ部材等で解除自在に固定する生体電気インピーダンス測定装置。
【請求項１３】
請求項１から請求項９の何れか１項に記載の生体電気インピーダンス測定装置において、前記押さえ部材は、布地のような自由に曲げられる部材から形成し、その一端を前記載置台に完全に固定し、対抗する他端をホック等で解除自在に固定する生体電気インピーダンス測定装置。
【請求項１４】
請求項１から請求項１３のいずれか１項に記載の生体電気インピーダンス測定装置において、前記身体の１つの部位を位置決めする位置決め部材を備え、該位置決め部材は位置調整可能である生体電気インピーダンス測定装置。
【請求項１５】
請求項１から請求項１４のいずれか１項に記載の生体電気インピーダンス測定装置において、前記身体の１つの部位は左右いずれか一方の前腕である生体電気インピーダンス測定装置。
【請求項１６】
請求項１から請求項１４のいずれか１項に記載の生体電気インピーダンス測定装置において、前記身体の１つの部位は左右いずれか一方の下腿である生体電気インピーダンス測定装置。
【請求項１７】
請求項１４に記載の生体電気インピーダンス測定装置において、前記身体の１つの部位は左右いずれか一方の前腕であり、前記位置決め部材は手で握るグリップおよび／もしくは肘を当接する肘当てである生体電気インピーダンス測定装置。
【請求項１８】
請求項１から請求項１７のいずれか１項に記載の生体電気インピーダンス測定装置において、前記演算手段は体脂肪、体水分、脈拍、または、血圧のうちの少なくとも１つを更に演算する生体電気インピーダンス測定装置。
【請求項１９】
請求項１から請求項１８のいずれか１項に記載の生体電気インピーダンス測定装置において、前記交流電流供給手段は複数の異なる周波数の交流電流を供給し、前記電圧測定手段は各周波数の交流電流に対応して電圧を測定し、前記演算手段は、供給された異なる周波数の前記交流電流とこれらに対応して測定された前記電圧とに基づいて生体電気インピーダンスを演算する生体電気インピーダンス測定装置。
【請求項２０】
請求項１から請求項１８のいずれか１項に記載の生体電気インピーダンス測定装置において、前記交流電流供給手段は単一の周波数の交流電流を供給し、前記電圧測定手段は測定された前記電圧の位相を更に測定し、前記演算手段は、供給された前記電流と測定された前記電圧との位相差を更に演算する生体電気インピーダンス測定装置。
【請求項２１】
請求項１９もしくは請求項２０に記載の生体電気インピーダンス測定装置において、前記演算手段は細胞内液量対細胞外液量比、細胞外液量対体水分液量比、細胞内液量、細胞外液量、体水分液量、または、体脂肪量のうちの少なくとも１つを更に演算する生体電気インピーダンス測定装置。
【手続補正２】
【補正対象書類名】明細書
【補正対象項目名】０００２
【補正方法】変更
【補正の内容】
【０００２】
【従来の技術】
従来、生体電気インピーダンス測定装置としては、図１に示すように、ケーブル１１に接続された１対の測定電流印加電極１２ａ、１２ｂおよび１対の電圧測定電極１３ａ、１３ｂを両手、両足、または、手足等に貼り付けて測定するケーブル接続電極型のもの１０や、図２に示すように、１対のグリップ２１ａ、２１ｂに配置された１対の測定電流印加電極２２ａ、２２ｂおよび１対の電圧測定電極２３ａ、２３ｂを両手で握って測定する手専用電極型のもの２０や、または、図３に示すように台３１上に配置された１対の測定電流印加電極３２ａ、３２ｂおよび１対の電圧測定電極３３ａ、３３ｂ上に両足で乗って測定する足専用電極型のもの３０が知られており、いずれも両手、両足、または、手足間といった身体の２つの部位に２対の電極を配置して生体電気インピーダンスを測定するものである。尚、本願明細書において、身体の１つの部位とは、関節間に挟まれた、関節が介在しない身体の連続する部分をいう。
【手続補正３】
【補正対象書類名】明細書
【補正対象項目名】００２８
【補正方法】変更
【補正の内容】
【００２８】
（Ｘ−ａ）2＋（Ｙ−ｂ）2＝ｒ2      （式１）
ａ、ｂ、ｒは、式１に、周波数Ｆ１、Ｆ２、…、ＦＮにおける生体電気インピーダンス測定値Ｚ１、Ｚ２、…、ＺＮを代入することにより求められる。
【手続補正４】
【補正対象書類名】明細書
【補正対象項目名】００６１
【補正方法】変更
【補正の内容】
【００６１】
加えて、上述した実施例では、載置台を溝状にしているが、身体の１つの部位を載置し易く、身体と電極との接触が良ければ、溝状に限定されず、平板状等であっても良い。同様に、上述した実施例では、押さえ部材を溝状にしているが、身体の１つの部位を押さえ易く、押さえ部材に電極が配置されている場合においては身体と電極との接触が良ければ、溝状に限定されず、平板状等であっても良い。
【手続補正５】
【補正対象書類名】明細書
【補正対象項目名】００６２
【補正方法】変更
【補正の内容】
【００６２】
更に、上述した実施例では、押さえ部材と載置台とを高い摩擦係数で枢着して、押さえ部材が容易に回動してしまわないようにしているが、押さえ部材の枢着されている端部に対向する端部と載置台の端部とをラッチ部材等で解除自在に固定するようにしても良い。この場合、身体の大きさは個人差があるので、ラッチ部材は上下方向に位置調整可能になっているのが良い。また、押さえ部材をゴムバンドのような弾性を有する部材から形成し、その一端を載置台に完全に固定し、対向する他端を載置台にラッチ部材等で解除自在に固定するようにしても良く、或いは、押さえ部材を布地のような自由に曲げられる部材から形成し、その一端を載置台に完全に固定し、押さえ部材を身体に巻きつけて、対向する他端を押さえ部材に解除自在にホック等で固定するようにしても良い。